(57)【要約】   本発明の無線充電機能を提供するクレードル装置は、移動端末機が取り付け可能に備えられるクレードル部と、前記クレードル部の内部に備えられ、発信コイル、外部電源と前記発信コイルとの間の連結経路をスイッチングするスイッチング部及び前記スイッチング部を制御する制御部を含む無線充電モジュールと、前記無線充電モジュールに結合されるＮＦＣタグとを含み、前記制御部は前記ＮＦＣタグからタグ認識信号を受信する場合、前記スイッチング部をオン制御することを特徴とすることができる。本発明によれば、クレードル装置は移動端末機に無線充電機能を提供すると同時に、ＮＦＣタグ情報を通じて提供される多様なコンテンツを移動端末機を通じて使用者に提供することができる。
2019511902.tif 000002
【特許請求の範囲】
【請求項１】
移動端末機が取り付け可能に備えられるクレードル部と、
前記クレードル部の内部に備えられ、発信コイル、外部電源と前記発信コイルとの間の連結経路をスイッチングするスイッチング部及び前記スイッチング部を制御する制御部を含む無線充電モジュールと、
前記無線充電モジュールに結合されるＮＦＣタグとを含み、
前記制御部は前記ＮＦＣタグからタグ認識信号を受信する場合、前記スイッチング部をオン制御し、
前記タグ認識信号は前記移動端末機のタグ認識部から送信されたＲＦ信号に対応して前記ＮＦＣタグのアンテナで発生される誘導起電力信号であり、
前記クレードル部の一側には前記移動端末機の取り付けを認識することができるクレードル認識部がさらに備えられ、前記制御部は前記スイッチング部がオン制御された後、前記ＮＦＣタグからタグ認識信号が送信されなく、前記クレードル認識部に前記移動端末機のクレードルが認識されない場合前記スイッチング部をオフ制御し、
前記制御部は前記スイッチング部がオン制御された後、前記ＮＦＣタグからタグ認識信号が送信されない場合にも、既設定された時間が経過した後、前記スイッチング部をオフ制御することを特徴とするクレードル装置。
【請求項２】
前記移動端末機のタグ認識部で認識されるＮＦＣタグ情報は、サイトのＵＲＬ情報、テキスト情報、音声情報の中の少なくとも一つを含み、
前記ＵＲＬ情報で提供されるコンテンツは既設定された動画、音楽、既設定されたテキスト情報、既設定された音声情報、既設定された広告情報、前記クレードル装置が設置されたお店のメニュー情報、お店で提供するイベント情報、前記移動端末機が位置する地域のお店で提供するイベント情報の中の少なくとも一つのコンテンツを含むことを特徴とする請求項１に記載のクレードル装置。
【請求項３】
前記移動端末機クレードル装置は、前記ＮＦＣタグのアンテナで発生される誘導起電力によって発光するＬＥＤをさらに含むことを特徴とする請求項１に記載のクレードル装置。
【請求項４】
前記移動端末機クレードル装置は、前記ＮＦＣタグのアンテナで発生される誘導起電力によって作動するスピーカーをさらに含むことを特徴とする請求項１に記載のクレードル装置。
【発明の詳細な説明】
【技術分野】
【０００１】
本発明の複数の実施例は無線充電機能を備えるクレードル装置に関するもので、より詳しくは、携帯端末機を無線で充電しながら充電中の携帯端末機を通じて多様なコンテンツを提供することができるようにした無線充電機能を備えるクレードル装置に関するものである。
【背景技術】
【０００２】
ＮＦＣ（Ｎｅａｒ  Ｆｉｌｅｄ  Ｃｏｍｍｕｎｉｃａｔｉｏｎ）タグは無線タグ（Ｒａｄｉｏ  Ｆｒｅｑｕｅｎｃｙ  Ｉｄｅｎｔｉｆｉｃａｔｉｏｎ）技術の中の一つで、１３．５６ＭＨｚの周波数帯域を利用しながら、１０ｃｍ以内の近い距離で多様な無線データを取り交わす非接触式通信技術である。このようなＮＦＣは通信距離が短いことから、相対的にセキュリティが優れ、且つ価格が低廉であって、注目される次世代近距離通信技術である。
【０００３】
ＮＦＣタグは非常に小さいチップ（ｃｈｉｐ）とデータ送受信用アンテナで構成されており、一般的にアンテナの模様によって大きく四角または円形のＮＦＣタグがある。
【０００４】
前記ＮＦＣ用タグのアンテナは模様と大きさによって送受信距離と性能にも差がある。ＮＦＣ用タグのアンテナ模様は四角より円形である時送受信率がよく、大きいほど送受信率がよりよくなる。
【０００５】
一方、このようなＮＦＣ用タグステッカーにスマートフォンを当てれば、別途の連結手続きなしに専用アプリケーションと連結されるので、決済だけでなく一般のお店で物品情報や訪問客のための旅行情報送信、交通、出入り統制ロック装置などに広く活用されている実情である。
【０００６】
また、最近、使用者はモバイル器機を通じて多様なマルチメディアを視聴することによりバッテリーの容量が不足するという問題が発生している。そこで、使用者は別途の補助バッテリーを所持するか、お店等で携帯電話の充電を要請するなどの不便を経験している。そこで、最近、お店等のテーブル等に無線充電装置を提供する業社が登場している。このような無線充電装置は該当の無線充電装置に接したモバイル器機と通信し、該当無線充電装置は充電信号を該当モバイル器機に送信し、モバイル器機では充電信号に基づいて該当モバイル器機に備えられたバッテリーを充電するようになる。
【０００７】
一方、マーケティング戦略の一方案として、前記のような無線充電を無料または少額で使用者に提供しながら、単純に無線充電機能を提供することだけではない、前記で説明したＮＦＣタグを利用してモバイル器機に多様なコンテンツを一緒に提供する方案を活用する必要がある。
【発明の概要】
【発明が解決しようとする課題】
【０００８】
前述したような従来技術の問題点を解決するために、本発明では無線充電モジュール及びＮＦＣタグを含むクレードル装置を提案することを目的とする。
【０００９】
本発明の他の目的は以下の実施例を通じて当業者によって導出されることができる。
【課題を解決するための手段】
【００１０】
前述した目的を達するために、本発明の好ましい一実施例によれば、移動端末機が取り付け可能に備えられるクレードル部と、前記クレードル部の内部に備えられ、発信コイル、外部電源と前記発信コイルとの間の連結経路をスイッチングするスイッチング部及び前記スイッチング部を制御する制御部を含む無線充電モジュールと、前記無線充電モジュールに結合されるＮＦＣタグとを含み、前記制御部は前記ＮＦＣタグからタグ認識信号を受信する場合、前記スイッチング部をオンに制御することを特徴とするクレードル装置が提供される。
【００１１】
前記タグ認識信号は、前記移動端末機のタグ認識部から送信されたＲＦ信号に対応して前記ＮＦＣタグのアンテナで発生される誘導起電力信号であってもよい。
【００１２】
前記移動端末機のタグ認識部で認識される前記ＮＦＣタグ情報はホームページのＵＲＬ情報であり、前記ＵＲＬ情報で提供されるコンテンツは既設定された広告情報、前記クレードル装置が設置されたお店のメニュー情報、お店で提供するイベント情報、前記移動端末機が位置する地域のお店で提供するイベント情報の中の少なくとも一つのコンテンツを含むことができる。
【００１３】
前記移動端末機クレードル装置は前記ＮＦＣタグのアンテナで発生される誘導起電力によって発光するＬＥＤをさらに含むことができる。
【００１４】
前記移動端末機クレードル装置は前記ＮＦＣタグのアンテナで発生される誘導起電力によって作動するスピーカーをさらに含むことができる。
【００１５】
前記クレードル部の一側には前記移動端末機の取り付けを認識することができるクレードル認識部がさらに備えられ、前記制御部は前記スイッチング部がオン制御された後前記ＮＦＣタグからタグ認識信号が送信されなく、前記クレードル認識部に前記移動端末機のクレードルが認識されない場合、前記スイッチング部をオフ制御することができる。
【００１６】
前記制御部は前記スイッチング部がオン制御された後、既設定された時間が経過すると前記スイッチング部をオフ制御することができる。
【発明の効果】
【００１７】
本発明によれば、クレードル装置は移動端末機に無線充電機能を提供すると同時に、ＮＦＣタグ情報を通じて提供される多様なコンテンツを移動端末機を通じて使用者に提供することができる。
【図面の簡単な説明】
【００１８】
【図１】本発明の一実施例によるクレードル装置の斜視図である。
【図２】本発明の一実施例による移動端末機が結合されたクレードル装置の斜視図である。
【図３】本発明の一実施例によるクレードル装置の他の角度で示した斜視図である。
【図４】本発明の一実施例によるクレードル装置の分解斜視図である。
【図５】本発明の一実施例によるクレードル装置の実物写真の一例を示した図面である。
【図６】本発明の一実施例にクレードル装置の無線充電モジュール、ＮＦＣタグと移動端末機との間の作動関係を説明するために示したブロック図である。
【発明を実施するための形態】
【００１９】
その他複数の実施例の具体的な事項は詳細な説明及び図面に含まれている。
【００２０】
本発明の利点及び特徴、そしてそれらを達成する方法は添付する図面と共に詳細に後述されている実施例を参照すれば明確になれる。しかしながら、本発明は以下で開示される複数の実施例に限定されるのではなく、互いに異なる多様な形態で具現されることができ、以下の説明である部分が他の部分と連結されているとする時、これは直接連結されている場合だけでなく、その中間に他の素子を挟んで電気的に連結されている場合も含む。また、図面で本発明と関係のない部分は本発明の説明を明確にするために省略しており、明細書全体を通じて類似する部分に同じ図面符号を付けた。
【００２１】
以下、添付した図面を参考して本発明について説明する。
【００２２】
図１は本発明の一実施例によるクレードル装置の斜視図であり、図２は本発明の一実施例による移動端末機が結合されたクレードル装置の斜視図であり、図３は本発明の一実施例によるクレードル装置の他の角度で示した斜視図であり、図４は本発明の一実施例によるクレードル装置の分解斜視図であり、図５は本発明の一実施例によるクレードル装置の実物写真の一例を示した図面である。
【００２３】
図１〜図５によれば、本発明のクレードル装置１００は、移動端末機２００が取り付け可能に備えられるクレードル部１１０と、クレードル部１１０の内部に備えられ、発信コイル１２１、発信コイル１２１を制御する回路を備える制御部１２３及び外部電源との連結端子１２９を含む無線充電モジュール１２０と、無線充電モジュール１２０に結合され、移動端末機２００のタグ認識部で送信されるＲＦ信号を受信するアンテナ１３１及びアンテナ１３１に連結され、データを保存するチップ１３３を含むＮＦＣタグ１３０と、スピーカー部１４０と、ＬＥＤ１５０とを含むことができる。
【００２４】
無線充電モジュール１２０は移動端末機２００が取り付けられるクレードル部１１０の後面に装着されることができ、ＮＦＣタグ１３０はクレードル部１１０と無線充電モジュール１２０との間に配置されることができる。ＮＦＣタグ１３０のアンテナ１３１は無線充電モジュール１２０の外郭面に沿って四角形に形成されることができるが、これに限定されるのではない。
【００２５】
無線充電モジュール１２０は接触端子１２７を含み、接触端子１２７を通じて連結されるケーブルを通じて外部電源１０を発信コイル１２１に送信することができる。
【００２６】
図６は本発明の一実施例にクレードル装置の無線充電モジュール、ＮＦＣタグと移動端末機との間の作動関係を説明するために示したブロック図である。
【００２７】
図６によれば、無線充電モジュール１２０は発信コイル１２１、制御部１２３、スイッチング部１２５、接触端子１２７を含むことができる。
【００２８】
発信コイル１２１は接触端子１２７を通じて送信される電源を受け、従来の一般的な無線充電発信機が用いられることができる。移動端末機２００には発信コイル１２１と磁気的に結合されて誘導電流を発生する受信コイル２１０が装着されることができる。受信コイル２１０は移動端末機２００の内部に装着されていることもでき、移動端末機２００の外部を囲む保護カバー等に装着されることもできる。
【００２９】
ＮＦＣ（Ｎｅａｒ  Ｆｉｌｅｄ  Ｃｏｍｍｕｎｉｃａｔｉｏｎ）タグ１３０は、無線タグ（Ｒａｄｉｏ  Ｆｒｅｑｕｅｎｃｙ  Ｉｄｅｎｔｉｆｉｃａｔｉｏｎ）技術の中の一つで、１３．５６ＭＨｚの周波数帯域を利用しながら、１０ｃｍ以内の近い距離で多様な無線データを取り交わす非接触式通信技術である。このようなＮＦＣは通信距離が短いことから、相対的にセキュリティが優れ、且つ価格が廉価であって注目される次世代近距離通信技術である。
【００３０】
ＮＦＣタグ１３０は非常小さいチップ１３３とデータ送受信用アンテナ１３１とで構成されており、アンテナ１３１は移動端末機２００に備えられたタグ認識部２２０から送信されたＲＦ信号に対応して誘導起電力を発生し、前記発生された誘導起電力をチップ１３３に供給する。また、チップ１３３に保存されたＮＦＣタグ情報はアンテナ１３１を通じて移動端末機２００のタグ認識部２２０に送信される。
【００３１】
本発明の一実施例によれば、前記ＮＦＣタグ情報はホームページのＵＲＬ情報であることができ、前記ＵＲＬ情報で提供されるコンテンツは既設定された動画、音楽、既設定されたテキスト情報（名刺情報、住所、連絡先、痴ほう性老人の病名など）、既設定された音声情報、既設定された広告情報、前記クレードル装置が設置されたお店のメニュー情報、お店で提供するイベント情報、移動端末機２００が位置する地域のお店で提供するイベント情報の中の少なくとも一つのコンテンツを含むことができる。従って、クレードル装置を設置する管理者は前記ＮＦＣタグ情報で提供されるコンテンツを通じて多様なマーケティング技法を使用者に提供することができる。その外にもＮＦＣタグ情報は移動端末機２００を制御するための多様な命令情報を含むことができる。また、ＮＦＣタグ情報はテキスト情報（名刺情報、住所、連絡先、痴ほう性老人の病名など）及び音声情報を含むことができ、移動端末機２００のタグ認識部２２０はＮＦＣタグ情報に含まれたテキスト情報、音声情報などを認識して移動端末機２００を通じて表示することができる。例えば、移動端末機２００を通じてタグを認識する時、ＮＦＣタグ情報に含まれた名刺情報が移動端末機２００のディスプレーに直ちに表示されることができる。
【００３２】
本発明の一実施例によれば、使用者は前記ＵＲＬ情報で提供するサイトを通じて簡便に会員加入を行うことができ、サイトを通じて提供される広告が完了された後、ポイントを貯めることができる。また、前記サイトには、サイトを通じた電子注文機能、使用者が注文したメニューが用意されたことを使用者に知らせる機能などを含むこともできる。
【００３３】
移動端末機２００に内蔵されたタグ認識部２２０は使用者の設定によってＮＦＣタグリーダー機能がオンオプ制御されることができる。従って、使用者がＮＦＣタグリーダー機能をオフしておいた場合、移動端末機２００を本発明のクレードル装置１００に取り付けても、ＮＦＣタグ１３０から送信されるＮＦＣタグ情報を移動端末機２００が受信することができない。
【００３４】
この場合、管理者がＮＦＣタグ情報を通じてお店または広告情報等を提供するために無線充電機能を含むクレードル装置をお店に備えてあれば、使用者が無線充電機能を利用する場合でも使用者にＮＦＣタグを通じたコンテンツを提供することができないという問題点がある。
【００３５】
従って、本発明では前記のような問題点を解決するために、本発明の無線充電モジュール１２０は、発信コイル１２１と外部電源１０との間の連結を制御するスイッチング部１２５を含む。本発明のスイッチング部１２５は制御部１２３によって制御され、制御部１２３はＮＦＣタグ１３０からタグ認識信号を受信する場合、スイッチング部１２５をオン制御することにより、外部電源１０から供給される電源が発信コイル１２１に送信される。
【００３６】
ここで、前記タグ認識信号は移動端末機２００のタグ認識部から送信されたＲＦ信号に対応してＮＦＣタグ１３０のアンテナ１３１で発生される誘導起電力信号であることができる。アンテナ１３１で発生される誘導起電力を受けるために制御部１２３とアンテナ１３１は電気的に連結されることができる。
【００３７】
即ち、本発明によれば、ＮＦＣリーダー機能がオンになった移動端末機２００がクレードル部１１０に取り付けられる場合、ＮＦＣタグ１３０のアンテナ１３１は誘導起電力を発生して制御部１２３に送信し、誘導起電力を受信した制御部１２３はスイッチング部１２５をオン制御することにより外部電源１０が発信コイル１２１に送信される。それによって、外部端末機２００の無線充電が行われることができ、ＮＦＣで提供されるＮＦＣタグ情報による動作を外部端末機２００が行うことができる。
【００３８】
一方、ＮＦＣリーダー機能をオフにした移動端末機２００がクレードル部１１０に取り付けられる場合、ＮＦＣタグ１３０のアンテナ１３１では誘導起電力が発生しないので、制御部１２３によってスイッチング部１２５がオフ制御され、外部電源１０を通じた電源が発信コイル１２１に送信されないため移動端末機２００の無線充電が行われない。
【００３９】
即ち、本発明のクレードル装置１００はＮＦＣリーダー機能がオンになった移動端末機２００が取り付けられた場合のみ無線充電機能を提供するので、使用者が無線充電機能を受けるためにはＮＦＣリーダー機能をオンにしなければならなく、それにより、クレードル装置１００を設置した管理者は無線充電機能とともに、ＮＦＣタグ情報に含まれたマーケティングのための多様なコンテンツ情報を移動端末機２００に送ることができる。
【００４０】
従って、本発明のクレードル装置１００には「ＮＦＣを活性化して取り付けてください」という文具が一緒に提供されることもできる。
【００４１】
前述したように、本発明の制御部１２３はＮＦＣタグ１３０のアンテナからタグ認識信号を受信した場合スイッチング部１２５をオン制御する。しかし、移動端末機のタグ認識部２２０がＮＦＣタグ１３０でＮＦＣタグ情報を受信した後、ＲＦ信号をアンテナ１３１に送信しない場合、制御部１２３はスイッチング部１２５をオフ制御するようになり、この場合、移動端末機２００の無線充電が行われないこともある。
【００４２】
従って、制御部１２３はスイッチング部１２５をオン制御した後、既設定された時間後にスイッチング部１２５をオフ制御することができる。
【００４３】
本発明の一実施例によれば、クレードル部１１０の移動端末機２００が取り付けられる部分の一側には移動端末機の取り付けを認識することができるクレードル認識部１１５がさらに備えられることができる。クレードル認識部１１５は移動端末機２００の荷重をチェックする圧力センサーを通じて移動端末機の取り付けを認識するか、またはクレードル認識部１１５の押圧動作による移動端末機２００の取り付けを認識することができる。
【００４４】
この場合、制御部１２３はスイッチング部１２５がオン制御された後、ＮＦＣタグからタグ認識信号が送信されなく、クレードル認識部１１５に移動端末機２００の取り付けが認識されない場合スイッチング部１２５をオフ制御することができる。
【００４５】
従って、移動端末機２００の無線充電中に、移動端末機２００のタグ認識部２２０でＲＦ信号をＮＦＣタグ１３０のアンテナに送信しない場合であっても、使用者は移動端末機２００の無線充電を絶えることなく行うことができる。本発明の一実施例によれば、クレードル装置１００にはスピーカー１４０がさらに備えられることができ、スピーカー１４０はＮＦＣタグ１３０のアンテナ１３１で発生される誘導起電力を通じて駆動されることができる。この時、スピーカー１４０を通じて既設定されたメロディーが再生されることができる。
【００４６】
また、スピーカー１４０はブルートゥース（登録商標）機能を含むスピーカー１４０であってもよく、この場合、移動端末機２００に送信されるＮＦＣタグ情報にはブルートゥーススピーカー自動連結情報を含むことができる。即ち、移動端末機２００はＮＦＣタグ情報に含まれたブルートゥーススピーカー自動連結命令を通じてスピーカー１４０とブルートゥースとの連結が自動に行われることができる。
【００４７】
本発明の一実施例によれば、クレードル装置１００にはＬＥＤ１５０がさらに備えられることができ、ＬＥＤ１５０はＮＦＣタグ１３０のアンテナ１３１で発生される誘導起電力を通じて駆動されることができる。ＬＥＤ１５０を通じてクレードル装置１００に開始的な照明効果を提供することができ、図１のクレードル装置の外面に刻印された「ＭＥＮＵ  ＴＶ」と文字のバックグラウンドに照明を提供して文具を強調する視覚的効果を提供することもできる。
【００４８】
図１〜図５のクレードル装置１００の後面には支持部１１３が形成されて、クレードル部１１０が所定角度に立てられることができるように形成されているが、これは本発明を説明するために示した一例であるだけで、本発明のクレードル部、無線充電モジュール、ＮＦＣタグ等はお店のテーブル等の上側に内蔵されて構成されることができることは勿論である。
【００４９】
以上のように、本発明は具体的な構成要素などのような特定事項と限定された実施例及び図面によって説明されたが、これは本発明をより全般的に理解するために提供されたもので、本発明は前述した実施例に限定されるのではなく、本発明が属する分野において通常の知識を有する者であればこのような記載から多様な修正及び変形が可能である。従って、本発明の思想は説明された実施例に制限されて定められてはならなく、後述する特許請求範囲だけでなく、この特許請求範囲と均等または等価的な変形がある全てのものは本発明の思想の範疇に属するとすべきである。
【図１】
2019511902.tif 000003
【図２】
2019511902.tif 000004
【図３】
2019511902.tif 000005
【図４】
2019511902.tif 000006
【図５】
2019511902.tif 000007
【図６】
2019511902.tif 000008
【国際調査報告】
2019511902.tif 000009
2019511902.tif 000010
2019511902.tif 000011
2019511902.tif 000012